(57)【要約】【課題】簡単な構成で、植物株の根を確実に孔部に引き込むことができ、根の挿入のための監視や手作業の必要がなく生産効率の向上が可能な植物引込装置および植物株移植システムを提供すること。【解決手段】植物引込装置１１０が、孔部１２１の下方に配置可能な引込筒１１１と、引込筒１１１から突出可能に設けられた引込部材１１３と、引込部材１１３を引込筒１１１から出没可能に往復動させる駆動部１１４とを有し、引込部材１１３は、引込筒１１１から突出した部分が変形して外方に拡がるように形成されていること。【選択図】図３
2015223098.tif 000002
【特許請求の範囲】
【請求項１】
植物株の根を孔部に引き込む植物引込装置であって、
前記植物引込装置が、孔部の下方に配置可能な引込筒と、前記引込筒から突出可能に設けられた引込部材と、前記引込部材を前記引込筒から出没可能に往復動させる駆動部とを有し、
前記引込部材は、前記引込筒から突出した部分が変形して外方に拡がるように形成されていることを特徴とする植物引込装置。
【請求項２】
前記引込部材が、前記引込筒の内周に沿って突出方向に延びるように配置された複数の骨材を有し、
前記複数の骨材は、それぞれ前記引込筒の外周方向に拡がるように弾性が付与されていることを特徴とする請求項１に記載の植物引込装置。
【請求項３】
隣接する前記骨材の間には、前記骨材の外方への拡がりを許容する横部材が設けられていることを特徴とする請求項２に記載の植物引込装置。
【請求項４】
前記横部材が、膜状に形成されていることを特徴とする請求項３に記載の植物引込装置。
【請求項５】
上下に貫通し植物株を保持可能な孔部が複数設けられた栽培パネルと、植物株の根を前記孔部に引き込む植物引込装置とを有する植物株移植システムであって、
前記植物引込装置が、請求項１乃至請求項４のいずれかに記載の植物引込装置であり、
前記引込筒の内径が、前記栽培パネルの孔部の内径以下であることを特徴とする植物株移植システム。
【請求項６】
前記引込筒の先端部が、前記栽培パネルの孔部の下方に挿入可能な形状に形成されていることを特徴とする請求項５に記載の植物株移植システム。
【請求項７】
前記栽培パネルの孔部は、下端部の内径より上端部の内径が大きく形成されていることを特徴とする請求項５または請求項６に記載の植物株移植システム。
【請求項８】
前記引込部材が前記栽培パネルの上方で外方に拡がった際の最大径が、前記栽培パネルの複数の孔部のピッチ以下であることを特徴とする請求項５乃至請求項７のいずれかに記載の植物株移植システム。
【発明の詳細な説明】
【技術分野】
【０００１】
本発明は、植物株の根を栽培パネル等の孔部に引き込む植物引込装置および植物株移植システムに関し、例えば、植物工場等の水耕栽培設備において、成長に応じて植物株を異なる栽培パネルの孔部に移植する植物引込装置および植物株移植システムに関するものである。
【背景技術】
【０００２】
従来、植物工場等において、植物株を保持部材、例えば、複数の孔部を有する栽培パネルに保持し、栽培パネルの孔部の下方に伸びる植物株の根を栽培液等に浸け、あるいは、根に向かって栽培液等を散布するようにした水耕栽培設備が公知である。
これらの水耕栽培設備において、例えば、水平方向に大きく広がるように成長する植物を保持パネルで保持して栽培する場合、成長時を想定したピッチの孔部を有する単一の栽培パネルではスペース効率が低くなり、全体の生産効率が悪化してしまう。
【０００３】
このため、植物の成長に応じて、孔部のピッチが異なる栽培パネルに植物株を移植することが行われているが、スペース効率上、成長に応じてこの移植作業を頻繁に行うのが望ましい。
また、植物工場等においては、移植作業による全体の生産効率の悪化も避けなければならず、このために孔部のピッチが異なる栽培パネルに植物株を移植する移植作業を移植装置によって自動化した栽培設備が提案されている（例えば、特許文献１等参照。）。
【先行技術文献】
【特許文献】
【０００４】
【特許文献１】特開平７−１４７８５７号公報
【特許文献２】特開２０００−１６６４０８号公報
【発明の概要】
【発明が解決しようとする課題】
【０００５】
しかしながら、植物株は成長に伴って根の長さ、太さ、量が増加し、また、個々の植物株毎にそれらにばらつきがあるため、植物株を孔部に移植する際に、根の一部あるいは全部が孔部に入らない虞があり、植物株を孔部に移植できず、あるいは、移植はできても根の一部あるいは全部が孔部の下方に出ない状態となることがあった。
孔部に移植できなかった植物株は、その後の栽培の継続は不可能であり、また、根の一部あるいは全部が孔部の下方に出ない状態では、根に充分な栽培液を供給することができず植物株の成長が阻害され、最悪の場合枯死してしまう。
特許文献１のような公知の移植装置では、植物株の根が孔部に挿入される際の上記の問題は考慮されていないため、これらの弊害を防ぐためには、移植の状態、根の状態を監視し、不完全な場合は作業者が手作業を行う必要があり、全体の生産効率の向上の妨げとなっていた。
【０００６】
また、特許文献２のような吸引手段を有する移植装置も公知であるが、植物株の根の一部あるいは全部が孔部に挿入されず孔部の上部周辺に滞留した場合は充分に吸引できず、孔部の下方に伸びないまま残留するという問題があった。
吸引力を増大させることも考えられるが、植物株の根は多数が疎に絡まりあった状態であるため、空気の吸入量のみが増加して根を吸引する力は充分には増大せず、逆に、孔部に植物株自体（あるいは植物株を保持する栽培ポット）を強力に吸引することとなり、植物株にダメージを与えてしまう虞もあった。
そのため、やはり、移植の状態、根の状態を監視し、不完全な場合は作業者が手作業を行う必要があった。
また、吸引のためのポンプ等の駆動源が必要となり、装置が複雑化するという問題があった。
【０００７】
本発明は、これらの問題点を解決するものであり、簡単な構成で、植物株の根を確実に孔部に引き込むことができ、根の挿入のための監視や手作業の必要がなく生産効率の向上が可能な植物引込装置および植物株移植システムを提供することを目的とするものである。
【課題を解決するための手段】
【０００８】
本発明に係る植物引込装置は、植物株の根を孔部に引き込む植物引込装置であって、前記植物引込装置が、孔部の下方に配置可能な引込筒と、前記引込筒から突出可能に設けられた引込部材と、前記引込部材を前記引込筒から出没可能に往復動させる駆動部とを有し、前記引込部材は、前記引込筒から突出した部分が変形して外方に拡がるように形成されていることにより、前記課題を解決するものである。
【０００９】
本発明に係る植物株移植システムは、上下に貫通し植物株を保持可能な孔部が複数設けられた栽培パネルと、植物株の根を前記孔部に引き込む植物引込装置とを有する植物株移植システムであって、前記植物引込装置が、前述の植物引込装置であり、前記引込筒の内径が、前記栽培パネルの孔部の内径以下であることにより、前記課題を解決するものである。
【発明の効果】
【００１０】
本請求項１に係る植物引込装置によれば、孔部の下方に配置可能な引込筒と、引込筒から突出可能に設けられた引込部材と、引込部材を前記引込筒から出没可能に往復動させる駆動部とを有し、引込部材は、引込筒から突出した部分が変形して外方に拡がるように形成されていることで、引込筒から突出した引込部材は、孔部を通過して上方で外方に向けて変形して拡がるため、移植する植物株の根を広い範囲で受けることができる。
そして、引込部材を引込筒に引き込むことにより、引込部材が植物株の根を把持しながら孔部の下方まで引き込まれて、植物株の根をほとんど上方に残すことなく移植を完了できる。
このため、駆動部は単純な往復動のみを行うものでよく、また、引込部材も引込筒も単純な構造でよく、簡単な構成で、自動的に植物株の根を確実に孔部に引き込むことができ、根の挿入のための監視や手作業の必要がなく生産効率の向上が可能となる。
【００１１】
本請求項２に記載の構成によれば、引込部材が引込筒の内周に沿って突出方向に延びるように配置された複数の骨材を有し、複数の骨材は、それぞれ引込筒の外周方向に拡がるように弾性が付与されていることにより、引込部材を単純な構成とすることができるとともに、引込筒から突出した複数の骨材が放射状に拡がることで、より確実に移植する植物株の根を広い範囲で受けることができる。
本請求項３に記載の構成によれば、隣接する骨材の間には、骨材の外方への拡がりを許容する横部材が設けられていることにより、また、本請求項４に記載の構成によれば、横部材が、膜状に形成されていることにより、さらに、多くの根を確実に引き込むことが可能となる。
【００１２】
本請求項５に係る植物株移植システムによれば、引込筒の内径が栽培パネルの孔部の内径以下であることにより、栽培パネルの孔部の下方から引込部材を突出させる際に、引込部材が孔部を円滑に通過し、確実に孔部の上方で外方に向けて変形して拡がるため、動作を自動化しても確実に移植を完了することができる。
【００１３】
本請求項６に記載の構成によれば、引込筒の先端部が栽培パネルの孔部の下方に挿入可能な形状に形成されていることにより、孔部と引込筒の位置決めが容易となり、より確実に引込部材が孔部を円滑に通過することができる。
本請求項７に記載の構成によれば、栽培パネルの孔部は、下端部の内径より上端部の内径が大きく形成されていることにより、引込部材が把持した植物株の根をさらに円滑に栽培パネルの孔部に引き込むことができる。
本請求項８に記載の構成によれば、引込部材が栽培パネルの上方で外方に拡がった際の最大径が、栽培パネルの複数の孔部のピッチ以下であることにより、複数の植物株が同時に栽培パネルの上方で待機している場合や複数の植物引込装置を用いて移植作業を行う場合、隣接する他の植物株の根を引き込むことや、隣接する引込部材が干渉することを防止でき、確実に植物株を目的の孔部に移植することができる。
【図面の簡単な説明】
【００１４】
【図１】植物株の概略説明図。
【図２】栽培パネルの概略説明図。
【図３】本発明の１実施形態に係る植物引込装置の斜視図。
【図４】図３の側方断面図。
【図５】本発明の１実施形態に係る植物引込装置の引込部材突出時の斜視図。
【図６】図５の側方断面図。
【発明を実施するための形態】
【００１５】
本発明の植物引込装置は、植物株の根を孔部に引き込む植物引込装置であって、孔部の下方に配置可能な引込筒と、引込筒から突出可能に設けられた引込部材と、引込部材を引込筒から出没可能に往復動させる駆動部とを有し、引込部材は、引込筒から突出した部分が変形して外方に拡がるように形成され、また、本発明の植物株移植システムは、上下に貫通し植物株を保持可能な孔部が複数設けられた栽培パネルと、植物株の根を孔部に引き込む植物引込装置とを有する植物株移植システムであって、植物引込装置が前述の植物引込装置であり、引込筒の内径が、栽培パネルの孔部の内径以下であり、簡単な構成で、植物株の根を確実に孔部に引き込むことができ、根の挿入のための監視や手作業の必要がなく生産効率の向上が可能ものであれば、その具体的な構成はいかなるものであってもよい。
なお、以降の説明に用いる全ての図は簡略化されたものであり、実際の配置、形状、寸法比率等を表すものではない。
【００１６】
まず、本発明の植物引込装置及び植物株移植システムが取り扱う植物株及び栽培パネルの一例の概略を説明する。
植物株１０１は、図１に示すように、一株ずつ栽培ポット１０２で栽培され、茎や葉は栽培ポット１０２の上方の空間に成長し、根（地下茎を含む）は下方の空間に成長する。
栽培ポット１０２は、栽培パネル１２０に設けられた孔部１２１に挿入、保持され、植物工場等の各種栽培設備内において、栽培パネル１２０単位でハンドリングされながら植物株１０１の栽培が行われる。
栽培パネル１２０は、図２に示すように、複数の孔部１２１が設けられており、その孔部１２１の数、間隔等は、植物株１０１の茎や葉の拡がりに応じた所定の種類のものが用意され、成長に応じて栽培ポット１０２ごと異なる栽培パネル１２０への移植作業が行われる。
【実施例１】
【００１７】
本発明の第１実施形態に係る植物引込装置１１０は、図３乃至図６に示すように、栽培パネル１２０の孔部１２１の下方に配置可能な引込筒１１１と、引込筒１１１から突出可能に設けられた引込部材１１３と、引込部材１１３を引込筒１１１の先端部１１２から出没可能に往復動させる駆動部１１４とを有している。
引込部材１１３は引込筒１１１の内周に沿って突出方向に延びるように配置された複数の骨材からなる。
引込部材１１３を構成する複数の骨材は、それぞれ引込筒１１１の先端部１１２から突出した部分が変形して外周方向に拡がるように弾性が付与されている。
引込筒１１１の内径は、栽培パネル１２０の孔部１２１の内径以下であり、また、引込筒１１１の先端部１１２は、栽培パネル１２０の孔部１２１の下方に挿入可能な形状に形成されている。
【００１８】
なお、駆動部１１４は、図示のものは流体シリンダの形態をとっているが、いかなる駆動手段であってもよい。
また、引込部材１１３は、複数の骨材の外方への拡がりを許容し、その拡がり最大径を規制するリンク部材や可撓性の膜部材等の横部材が設けられていてもよい。
さらに、引込部材１１３が栽培パネル１２０の上方で外方に拡がった際の最大径が、栽培パネル１２０の複数の孔部１２１のピッチｐ以下とすることで、隣接する孔部１２１に挿入すべき植物株１０１の根１０３を引き込むことを抑制できる。
【００１９】
また、植物株１０１（あるいは栽培ポット１０２）の把持や移動を行うハンドリング機構、栽培パネル１２０の移動、位置決め等を行う機構、植物引込装置１１０の引込筒１１１を栽培パネル１２０の下方に離接させる機構等、移植作業に行うための各種機構の図示は省略したが、これらはいかなる構成であってもよく、また、これらの機構の一部あるいは全ての動作を作業者の手作業で行うように構成されていてもよい。
さらに、前述の各種機構を備えた植物株移植システムとして構成する際には、複数の植物株１０２の根を栽培パネル１２０の孔部１２１に同時に引き込むように、複数の植物引込装置１１０を栽培ポット１０２のピッチｐに対応して配置してもよい。
【００２０】
栽培パネル１２０の複数の孔部１２１は、図１乃至図６では、内周面１２２が円筒状のものを示したが、その形状はいかなるものであってもよく、例えば、下端部の内径より上端部の内径が大きく形成された円錐台形状とすることにより、引込部材１１３が把持した植物株１０１の根１０３をさらに円滑に栽培パネル１２０の孔部１２１に引き込むことができる。
また、引込筒１１１の先端部１１２が挿入される下端部近傍のみ、引込筒１１１の先端部１１２の外径と合致する形状のテーパ等を設けてもよい。
【００２１】
以上のように構成された、本発明の実施形態によれば、簡単な構成で、植物株の根を確実に孔部に引き込むことができ、根の挿入のための監視や手作業の必要がなく生産効率を向上することができる。
なお、前述実施形態は、栽培パネル１２０の孔部１２１に引き込むものであるが、他の空の栽培ポットに栽培ポット１０２に差し替えるものとしてもよい。
【符号の説明】
【００２２】
１０１  ・・・  植物株
１０２  ・・・  栽培ポット
１０３  ・・・  根
１１０  ・・・  植物引込装置
１１１  ・・・  引込筒
１１２  ・・・  先端部
１１３  ・・・  引込部材（骨材）
１１４  ・・・  駆動部
１２０  ・・・  栽培パネル
１２１  ・・・  孔部
１２２  ・・・  内周面
【図１】
2015223098.tif 000003
【図２】
2015223098.tif 000004
【図３】
2015223098.tif 000005
【図４】
2015223098.tif 000006
【図５】
2015223098.tif 000007
【図６】
2015223098.tif 000008